(57)【要約】【課題】表面取付要素、装飾要素、装飾調整要素、装飾組立キット、装飾フレーム組立キット、及びこれらの組合せを提供する。【解決手段】本発明は、装飾要素を受けるための表面取付要素に関する。表面取付要素は、表面と固定的に面接触するための部分と、装飾要素の対応する嵌合コネクタに解放可能に連結するための嵌合コネクタとを備えている。また、本発明は、装飾要素、装飾調整要素、装飾組立キット、装飾フレーム組立キット、及びこれらの組合せに関する。【選択図】図８
2013544988.tif 000002
【特許請求の範囲】
【請求項１】
装飾要素を受けるための表面取付要素であって、
前記表面と固定的に面接触するための部分と、
前記装飾要素の対応する嵌合コネクタに解放可能に連結するための嵌合コネクタと、
を備えることを特徴とする表面取付要素。
【請求項２】
表面に固定的に取り付けられた表面取付要素に設置される装飾要素であって、
装飾外面と、
前記表面取付要素の対応する嵌合コネクタに解放可能に連結するための嵌合コネクタと、
を備えることを特徴とする装飾要素。
【請求項３】
請求項２に記載の装飾要素であって、さらに、
両端部を備え、各端部は、隣接する装飾要素上の対応する留め具と解放可能に係合するための留め具を有することを特徴とする装飾要素。
【請求項４】
装飾調節要素を受けるための請求項２に記載の装飾要素であって、さらに、
前記装飾調節要素の対応する嵌合コネクタに解放可能に連結するためのもう１つの嵌合コネクタを備えることを特徴とする装飾要素。
【請求項５】
装飾要素に設置される装飾調節要素であって、
装飾外面と、
前記装飾要素の対応する嵌合コネクタに解放可能に結合するための嵌合コネクタと、
を備えることを特徴とする装飾調節要素。
【請求項６】
請求項５に記載の装飾調節要素であって、さらに、
両端部を備え、各端部は、隣接する装飾調節要素上の対応する留め具と解放可能に係合するための留め具を有することを特徴とする装飾調節要素。
【請求項７】
表面に設置される装飾組立キットであって、
前記表面と固定的に面接触するための部分と、装飾要素の対応する嵌合コネクタに解放可能に連結するための嵌合コネクタとを有し、前記装飾要素を受けるための表面取付要素と、
装飾外面と、両端部と、前記表面に固定的に取り付けられた前記表面取付要素の対応する嵌合コネクタに解放可能に連結するための嵌合コネクタとを有し、前記表面に固定的に取り付けられた前記表面取付要素に設置される装飾要素と、
装飾外面と、両端部と、前記装飾要素の対応する嵌合コネクタに解放可能に結合するための嵌合コネクタとを有し、前記装飾要素に設置される装飾調節要素と、
を備えることを特徴とする装飾組立キット。
【請求項８】
請求項７に記載の装飾組立キットであって、
前記装飾要素は、さらに、
両端部を備え、各端部は、隣接する装飾要素上の対応する留め具と解放可能に係合する留め具を有することを特徴とする装飾組立キット。
【請求項９】
請求項７に記載の装飾組立キットであって、
前記装飾調節要素は、さらに、
両端部を備え、各端部は、隣接する装飾調節要素上の対応する留め具と解放可能に係合するための留め具を有することを特徴とする装飾組立キット。
【請求項１０】
厚さを有する構造体にある開口部に少なくとも部分的に嵌め付けるための装飾フレーム組立キットであって、
縦方向軸を有する少なくとも２つの縦方向端縁取付要素を備え、前記少なくとも２つの縦方向端縁取付要素のうち少なくとも１つは装飾外面を有し、
前記少なくとも２つの縦方向端縁取付要素は、前記開口部に少なくとも部分的に解放可能に嵌め付けるためのものであって、前記厚さに合わせるために前記縦方向軸に沿って互いに調節可能に結合することを特徴とする装飾フレーム組立キット。
【請求項１１】
請求項１０に記載の装飾フレーム組立キットであって、
前記構造体は、前記厚さを規定する内表面を備え、
前記縦方向端縁取付要素の少なくとも１つは、前記内表面と固定的に面接触するためのものであることを特徴とする装飾フレーム組立キット。
【請求項１２】
請求項１１に記載の装飾フレーム組立キットであって、
前記縦方向端縁取付要素の少なくとも１つは、さらに、
前記内表面と固定的に面接触するための縦方向延設部を備えることを特徴とする装飾フレーム組立キット。
【請求項１３】
請求項１２に記載の装飾フレーム組立キットであって、
前記少なくも２つの縦方向端縁取付要素は、両端部を備え、各端部は、隣接する縦方向端縁取付要素上の対応する留め具と解放可能に係合するための留め具を有することを特徴とする装飾フレーム組立キット。
【請求項１４】
装飾縦方向キャッピング要素を受けるための請求項１３に記載の装飾フレーム組立キットであって、
前記縦方向端縁取付要素の少なくとも１つは、さらに、
前記縦方向延設部に隣接し、前記装飾縦方向キャッピング要素の対応する嵌合コネクタに解放可能に連結するための嵌合コネクタを備えることを特徴とする装飾フレーム組立キット。
【請求項１５】
請求項１４に記載の装飾フレーム組立キットであって、
前記縦方向端縁取付要素の少なくとも１つは、前記内表面の端縁に近い対応する嵌合コネクタによって互いに連結される２つの部材からなることを特徴とする装飾フレーム組立キット。
【発明の詳細な説明】
【技術分野】
【０００１】
本発明は、建築材料の分野に関する。より詳細には、本発明は、表面に適用される装飾要素及び該装飾要素を設置するための方法に関する。
【背景技術】
【０００２】
一般的に、壁は家中の至るところにある壁ベース装飾要素と調和しているので、家のフロアーリングを交換するときには、通常、全ての壁ベース装飾要素は壁に固定したままにしている。壁ベース装飾要素の交換は、高額であるだけでなく、壁ベース装飾要素が取り付けられている壁を塗り替える必要もある。仕上がった装飾要素、即ちモールディング（繰形）が、仕上がったフロアーリングと壁ベースとが接合する端縁に必要とされるとき、一般的には、複数の装飾要素、即ち複数のモールディングが設置される。
【０００３】
例えば、米国特許７，７９３，４８３は、丸いモールディング、すなわちシューモールディングを開示している。しかしながら、開示されたモールディング、すなわち装飾要素は、当該モールディングを受ける表面への当該モールディングの並列配置を提供するものではない。
【０００４】
こういった不都合のために、建築材料の分野では、表面に適用される装飾要素と様々な表面に装飾要素を設置するための方法との必要性がまだある。
【発明の概要】
【０００５】
本発明の目的は、装飾要素を受けるための表面取付要素を提供することにあり、前記表面取付要素は、
前記表面と固定的に面接触するための部分と、
前記装飾要素の対応する嵌合コネクタに解放可能に連結するための嵌合コネクタと、
を備えている。
【０００６】
本発明の一実施形態によると、表面に固定的に取り付けられた表面取付要素に設置される装飾要素が提供され、前記装飾要素は、
装飾外面と、
前記表面取付要素の対応する嵌合コネクタに解放可能に連結するための嵌合コネクタと、
を備えている。
【０００７】
前記装飾要素は、さらに、
両端部を備え、各端部は、隣接する装飾要素上の対応する留め具と解放可能に係合する留め具を有する。
【０００８】
本発明の他の実施形態によると、装飾調節要素を受けるための装飾要素が提供され、前記装飾要素は、さらに、
前記装飾調節要素の対応する嵌合コネクタに解放可能に連結するためのもう１つの嵌合コネクタを備える。
【０００９】
本発明の他の実施形態によると、装飾要素に設置される装飾調節要素が提供され、前記装飾調節要素は、
装飾外面と、
両端部と、を備え、各端部は、隣接する装飾調節要素上の対応する留め具と解放可能に係合するための留め具を有する。
【００１０】
前記装飾調整要素は、さらに、
両端部を備え、各端部は、隣接する装飾調節要素上の対応する留め具と解放可能に係合するための留め具を有する。
【００１１】
本発明の他の実施形態によると、表面に設置される装飾組立キットが提供され、前記装飾組立キットは、
前記表面と固定的に面接触するための部分と、装飾要素の対応する嵌合コネクタに解放可能に連結するための嵌合コネクタとを有し、前記装飾要素を受けるための表面取付要素と、
装飾外面と、表面に固定的に取り付けられた前記表面取付要素の対応する嵌合コネクタに解放可能に連結するための嵌合コネクタとを有し、前記表面に固定的に取り付けられる前記表面取付要素に設置される装飾要素と、
装飾外面と、前記装飾要素の対応する嵌合コネクタに解放可能に結合するための嵌合コネクタとを有し、前記装飾要素に設置される装飾調節要素と、
を備えている。
【００１２】
本発明の他の実施形態によると、装飾調整要素を受けるための装飾組立キットが提供され、前記装飾要素は、さらに、
前記装飾調節要素の対応する嵌合コネクタに解放可能に連結するための嵌合コネクタを有している。
【００１３】
本発明の他の実施形態によると、厚さを有する構造体にある開口部に少なくとも部分的に嵌め付けるための装飾フレーム組立キットが提供され、前記装飾フレーム組立キットは、
縦方向軸を有する少なくとも２つの縦方向端縁取付要素を備え、前記少なくとも２つの縦方向端縁取付要素のうち少なくとも１つは装飾外面を有し、
前記少なくとも２つの縦方向端縁取付要素は、前記開口部に少なくとも部分的に解放可能に嵌め付けるためのものであり、前記厚さに合わせるために前記縦方向軸に沿って互いに調節可能に結合する。
【００１４】
本発明の他の実施形態によると、装飾フレーム組立キットが提供され、
前記構造体は、前記厚さを規定する内表面を備え、
前記縦方向端縁取付要素の少なくとも１つは、前記内表面と固定的に面接触するためのものである。
【００１５】
本発明の他の実施形態によると、装飾フレーム組立キットが提供され、少なくも１つの前記縦方向端縁取付要素は、さらに、
前記内表面と固定的に面接触するための縦方向延設部を備える。
【００１６】
本発明の他の実施形態によると、装飾フレーム組立キットが提供され、
前記少なくも２つの縦方向端縁取付要素は、両端部を備え、各端部は、隣接する縦方向端縁取付要素の対応する留め具と解放可能に係合するための留め具を有する。
【００１７】
本発明の他の実施形態によると、装飾縦方向キャッピング要素を受けるための装飾フレーム組立キットが提供され、少なくとも１つの前記縦方向端縁取付要素は、さらに、
前記縦方向延設部に隣接し、前記装飾縦方向キャッピング要素の対応する嵌合コネクタに解放可能に連結するための嵌合コネクタを備える。
【００１８】
本発明の他の実施形態によると、装飾フレーム組立キットが提供され、
少なくとも１つの前記縦方向端縁取付要素は、前記内表面の端縁の近傍にある対応する嵌合コネクタによって互いに連結される２つの部材からなる。
【００１９】
本発明の要旨の特徴及び利点は、厳選された実施形態の以下の詳細な説明、添付の図面を参照することで、より明確になる。当然のことながら、開示されかつクレームされている発明の要旨は、特許請求の範囲を逸脱せずに様々な変更が可能である。従って、図面及び記載は、本質的に説明のためのものであって、制限的なものとみなすべきではなく、発明の要旨の完全な範囲は、添付の特許請求の範囲に記載した通りである。
【００２０】
本発明のさらなる特徴及び利点は、以下の詳細な説明と添付の図面との組み合わせで、より明確になる。
【図面の簡単な説明】
【００２１】
【図１】図１は、表面取付要素の一実施形態の断面図を示す。
【図２】図２は、装飾要素の一実施形態の断面図を示す。
【図３】図３は、装飾調節要素の一実施形態の断面図を示す。
【図４】図４は、装飾要素の対応する留め具を示す。
【図５】図５は、表面に設置される装飾組立キットを示す。
【図６Ａ】図６Ａは、ドアフレームの断面図である。
【図６Ｂ】図６Ｂは、構造体にある開口部の周りに少なくとも部分的に設置される装飾フレーム組立キットを示す。
【図７】図７は、構造体にある開口部の周りに少なくとも部分的に設置される装飾フレーム組立キットの他の図を示す。
【図８】図８は、表面に設置される装飾組立キットの断面図を示す。
【図９】図９は、構造体にある開口部の周りに少なくとも部分的に設置される装飾フレーム組立キットの断面図を示す。
【図１０】図１０は、水平表面に設置される表面取付要素の一実施形態の断面図を示す。
【図１１】図１１は、構造体にある開口部の周りに少なくとも部分的に設置される装飾フレーム組立キットの一実施形態の断面図を示す。
【発明を実施するための形態】
【００２２】
添付の図面において、同様の構成は、同様の符号によって特定される。
【００２３】
実施形態では、建築資材が開示される。より具体的には、実施形態は、表面に適用される装飾要素及び該装飾要素を設置するための方法に関する。
【００２４】
図面を参照して、特に図１を参照して、表面取付要素１０の実施形態が示されている。表面取付要素１０は、表面と固定的に面接触する部分１２と、装飾要素２０の対応する嵌合コネクタ２８に解放可能に連結するための嵌合コネクタ１４とを含んでいる。
【００２５】
図２を参照して、表面に設置される装飾要素２０の実施形態が示されている。装飾要素２０は、装飾外面２２と、両端部（２つの端部）２４を含み、端部２４のそれぞれは、隣接する装飾要素２０上の対応する留め具２６と解放可能に係合する留め具２６を有し、さらに、装飾要素２０は、表面に固定的に取付けられた表面取付要素１０の対応する嵌合コネクタ１４に解放可能に連結するための嵌合コネクタ２８と、装飾調節要素３０の対応する嵌合コネクタ３８に解放可能に連結するための嵌合コネクタ２９とを含んでいる。
【００２６】
図３を参照して、装飾要素２０に設置される装飾調節要素３０の実施形態が示されている。装飾調節要素３０は、装飾外面３２と、両端部３４とを含み、端部３４のそれぞれは、隣接する装飾調節要素３０上の対応する留め具３６と解放可能に係合するための留め具３６を有し、さらに、装飾調節要素３０は、装飾要素２０の対応する嵌合コネクタ２８に解放可能に結合するための嵌合コネクタ３８を含んでいる。
【００２７】
図４を参照して、装飾外面２２と、両端部２４とを備える装飾要素２０の実施形態が示されており、端部のそれぞれは、隣接する装飾要素２０上の対応する留め具２６と解放可能に係合するための留め具２６を有する。
【００２８】
図５及び図８を参照して、他の実施形態では、表面に設置される装飾組立キット１０００が提供され、当該装飾組立キットは、
【００２９】
表面と固定的に面接触するための部分１２と、装飾要素２０の対応する嵌合コネクタ２８に解放可能に連結するための嵌合コネクタ１４とを含む表面取付要素１０を備えており、
【００３０】
さらに、表面に配置される装飾要素２０を備えており、装飾要素２０は、装飾外面２２と、両端部２４とを含んでおり、端部２４のそれぞれは、隣接する装飾要素２０上の対応する留め具２６と解放可能に係合するための留め具２６を有しており、さらに、装飾要素２０は、表面に固定的に取り付けられた表面取付要素１０の対応する嵌合コネクタ１４に解放可能に連結するための嵌合コネクタ２８と、装飾調節要素３０の対応する嵌合コネクタ３８に解放可能に連結するための嵌合コネクタ２９とを含んでおり、
【００３１】
さらに、装飾要素２０に設置される装飾調節要素３０を備えており、装飾調節要素３０は、装飾外面３２と、両端部３４とを含み、端部３４のそれぞれは、隣接する装飾調節要素３０上の対応する留め具３６と解放可能に係合するための留め具３６を有しており、さらに、装飾調節要素３０は、装飾要素２０の対応する嵌合コネクタ２８に解放可能に結合するための嵌合コネクタ３８を含んでいる。
【００３２】
図６Ａを参照して、開口部を規定するドアフレームの断面図が示されている。開口部は、周囲外表面４２と、縦方向長さ（図示されない）及び横方向長さ４４（別名、構造体の厚さ）からなる内表面４４とを規定する構造体にある。端縁６４は、周囲外表面４２と内表面４４との接合点にある。
【００３３】
図６Ｂ、図７、図９を参照して、周囲外表面４２と、縦方向及び横方向長さからなる内表面４４とを規定する構造体にある開口部の周りに設置される装飾フレーム組立キット２００の実施形態が示されている。装飾フレーム組立キットは、さらに、
【００３４】
開口部内面４４の横方向長さに合わせるために、縦方向軸に沿って互いに結合し、開口部内表面４４の横方向長さに合わせるための少なくとも２つの開口部内面取付要素４６を備え、当該取付要素は、
【００３５】
装飾外面４８と、
【００３６】
少なくとも１つの開口部内表面取付要素４６上にあり、開口部内表面４６と固定的に面接触するための縦方向延設部５０と、
【００３７】
縦方向延設部５０に隣接する少なくとも１つの開口部内表面取付要素上にあり、装飾縦方向延設フレーム要素５４の対応する嵌合コネクタ５２に解放可能に連結するための嵌合コネクタ５２と、
【００３８】
開口部周囲外表面４２に隣接し、装飾周囲フレーム要素の対応する嵌合コネクタ５２に解放可能に連結するための嵌合コネクタ５２と、
【００３９】
装飾外面４８と、少なくとも１つの開口部内表面取付要素４６の対応する嵌合コネクタ５２に解放可能に連結するための嵌合コネクタ５２とを有し、縦方向延設部５０を装飾的に覆う装飾縦方向延設フレーム要素５４と、
【００４０】
装飾外面４８と、少なくとも１つの開口部内表面取付要素４６の対応する嵌合コネクタ５２と解放可能に連結するための嵌合コネクタ５２とを有し、開口部の周囲外表面４２に設置される装飾周囲フレーム要素５６と、
を備えており、
【００４１】
装飾要素の両端部（２つの端部）のそれぞれは、隣接する装飾要素上の対応する留め具５８と解放可能に係合するための留め具５８を有する。
【００４２】
また、図６Ｂによると、ヒンジ８０により開口部内表面取付要素４６の一つに保持されたドア８２がある。
【００４３】
他の実施形態では、装飾調節要素を受けるための装飾組立キットが示されており、当該装飾要素は、さらに、当該装飾調節要素の対応する嵌合コネクタ５２に解放可能に連結するための嵌合コネクタ５２を含んでいる。
【００４４】
他の実施形態では、周囲外表面４２と、縦方向及び横方向長さからなる内表面と、周囲外表面４２及び内表面の接合点にある端縁とを規定する構造体にある開口部の周りに少なくとも部分的に設置される装飾フレーム組立キットが示されており、当該装飾フレーム組立キットは、
【００４５】
少なくとも開口部の外表面及び内表面に解放可能に嵌め付けるための少なくとも２つの縦方向端縁取付要素６０を備え、縦方向端縁取付要素は、開口部内表面４４の縦方向長さに合わせるために縦軸方向に沿って互いに調整可能に結合しており、少なくとも１つの縦方向端縁取付要素６０は、内表面４４に固定的に面接触し、縦方向端縁取付要素６０は、
【００４６】
装飾外面４８と、
【００４７】
両端部と備え、端部のそれぞれは、隣接する縦方向端縁取付要素６０上の対応する留め具５８と解放可能に係合するための留め具５８を有する。
【００４８】
他の実施形態では、装飾フレーム組立が示され、縦方向端縁取付要素６０の少なくとも１つは、さらに、
【００４９】
開口部内表面４４に固定的に面接触するための縦方向延設部５０を備える。
【００５０】
他の実施形態では、装飾縦方向キャッピング要素を受けるための装飾フレーム組立が示されており、少なくとも１つの縦方向端縁取付要素６０は、さらに、
【００５１】
縦方向延設部５０に隣接し、装飾縦方向キャッピング要素の対応する嵌合コネクタ５２に解放可能に連結するための嵌合コネクタ５２を備える。
【００５２】
他の実施形態では、装飾フレーム組立キットが示されており、少なくとも１つの縦方向端縁取付要素６０は、対応する嵌合コネクタ５２によって端縁で互いに連結される二つの部材で構成され、
【００５３】
図１０を参照して、水平表面（例えば、天井など）に設置された表面取付要素１０の一実施形態の断面図が示されている。この実施形態は、天井と壁との接合部を隠す装飾要素７０を設置するときに役立つ。
【００５４】
図１１を参照して、構造体にある開口部の周りに少なくとも部分的に設置される装飾フレーム組立キットの断面図が示されている。この実施形態によると、厚さを有する構造体にある開口部の周りに少なくとも部分的に嵌め付けるための装飾フレーム組立キット２００が示されている。装飾フレーム組立キット２００は、縦方向軸６８を有する少なくとも２つの縦方向端縁取付要素６０を備え、当該少なくとも２つの縦方向端縁取付要素６０のうち少なくとも１つは装飾外面を有し、当該少なくとも２つの縦方向端縁取付要素は、開口部に少なくとも部分的に解放可能に嵌め付けるためのものであり、前記厚さに合わせるために縦方向軸に沿って互いに調整可能に結合している。２つの縦方向端縁部取付要素６０のうちの１つは、装飾縦方向キャッピング要素６２を受けるように構成されている。
【００５５】
好ましい実施形態が上記に記載され、添付した図面に示されているが、本発明から逸脱しない範囲で変更がされてもよいことは、当業者にとって自明である。このような変更は、発明の範囲内でなし得る変形形態とみなされる。
【図１】
2013544988.tif 000003
【図２】
2013544988.tif 000004
【図３】
2013544988.tif 000005
【図４】
2013544988.tif 000006
【図５】
2013544988.tif 000007
【図６Ａ】
2013544988.tif 000008
【図６Ｂ】
2013544988.tif 000009
【図７】
2013544988.tif 000010
【図８】
2013544988.tif 000011
【図９】
2013544988.tif 000012
【図１０】
2013544988.tif 000013
【図１１】
2013544988.tif 000014
【手続補正書】
【提出日】平成24年11月29日(2012.11.29)
【手続補正１】
【補正対象書類名】特許請求の範囲
【補正対象項目名】全文
【補正方法】変更
【補正の内容】
【特許請求の範囲】
【請求項１】
表面に取り付けられる表面取付要素であって、前記表面取付要素は、装飾要素を受けるためのものであり、
前記表面と固定的に面接触するための部分と、
前記装飾要素の対応する装飾要素嵌合コネクタに解放可能に連結するための表面取付要素嵌合コネクタと、を備え、前記装飾要素の少なくとも一部分は、前記表面と解放可能に面接触することを特徴とする表面取付要素。
【請求項２】
請求項１に記載の表面取付要素であって、さらに、前記表面に固定的に取り付けられた前記表面取付要素に設置される前記装飾要素を備え、前記装飾要素は、
装飾外面と、
前記表面取付要素の前記対応する表面取付要素嵌合コネクタに解放可能に連結するための前記装飾要素嵌合コネクタと、を備え、前記装飾要素嵌合コネクタの少なくとも一部分は、前記表面と解放可能に面接触することを特徴とする表面取付要素。
【請求項３】
請求項２に記載の表面取付要素であって、前記装飾要素は、さらに、
両端部を備え、各端部は、隣接する装飾要素上の対応する留め具と解放可能に係合するための留め具を有することを特徴とする表面取付要素。
【請求項４】
装飾調節要素を受けるための請求項２に記載の表面取付要素であって、前記装飾要素は、さらに、
前記装飾調節要素の対応する装飾調節要素嵌合コネクタに解放可能に連結するためのもう１つの装飾要素嵌合コネクタを備えることを特徴とする表面取付要素。
【請求項５】
請求項４に記載の表面取付要素であって、さらに、前記装飾調節要素を備え、
前記装飾調節要素は、
装飾外面と、
前記装飾要素の前記対応するもう１つの装飾要素嵌合コネクタに解放可能に結合するための装飾調節要素嵌合コネクタと、を備え、前記対応する装飾要素嵌合コネクタの少なくとも一部分は、前記表面と解放可能に面接触することを特徴とする表面取付要素。
【請求項６】
請求項５に記載の表面取付要素であって、前記装飾調節要素は、さらに、
両端部を備え、各端部は、隣接する装飾調節要素上の対応する留め具と解放可能に係合するための留め具を有することを特徴とする表面取付要素。
【請求項７】
表面に設置される装飾組立キットであって、
前記表面と固定的に面接触するための部分と、装飾要素の対応する装飾要素嵌合コネクタに解放可能に連結するための表面取付要素嵌合コネクタとを有し、前記装飾要素を受けるための表面取付要素を備えており、前記対応する装飾要素嵌合コネクタの少なくとも一部分は、前記表面と解放可能に面接触し、さらに、
装飾外面と、両端部と、前記表面に固定的に取り付けられた前記表面取付要素の前記対応する表面取付要素嵌合コネクタに解放可能に連結するための前記装飾要素嵌合コネクタとを有し、前記表面に固定的に取り付けられた前記表面取付要素に設置される前記装飾要素を備えており、前記装飾要素嵌合コネクタの少なくとも一部分は、前記表面と解放可能に面接触し、さらに、
装飾外面と、両端部と、前記装飾要素の対応する装飾要素嵌合コネクタに解放可能に結合するための装飾調節要素嵌合コネクタとを有し、前記装飾要素に設置される装飾調節要素を備えることを特徴とする装飾組立キット。
【請求項８】
請求項７に記載の装飾組立キットであって、
前記装飾要素は、さらに、
両端部を備え、各端部は、隣接する装飾要素上の対応する留め具と解放可能に係合するための留め具を有することを特徴とする装飾組立キット。
【請求項９】
請求項７に記載の装飾組立キットであって、
前記装飾調節要素は、さらに、
両端部を備え、各端部は、隣接する装飾調節要素上の対応する留め具と解放可能に係合するための留め具を有することを特徴とする装飾組立キット。
【請求項１０】
厚さを有する構造体にある開口部に少なくとも部分的に嵌め付けるための装飾フレーム組立キットであって、
縦方向軸を有する少なくとも２つの縦方向端縁取付要素を備え、前記少なくとも２つの縦方向端縁取付要素のうち少なくとも１つは装飾外面を有し、
前記少なくとも２つの縦方向端縁取付要素は、前記開口部に少なくとも部分的に解放可能に嵌め付けるためのものであって、前記厚さに合わせるために前記縦方向軸に沿って互いに調節可能に結合することを特徴とする装飾フレーム組立キット。
【請求項１１】
請求項１０に記載の装飾フレーム組立キットであって、
前記構造体は、前記厚さを規定する内表面を備え、
前記縦方向端縁取付要素の少なくとも１つは、前記内表面と固定的に面接触するためのものであることを特徴とする装飾フレーム組立キット。
【請求項１２】
請求項１１に記載の装飾フレーム組立キットであって、
前記縦方向端縁取付要素の少なくとも１つは、さらに、
前記内表面と固定的に面接触するための縦方向延設部を備えることを特徴とする装飾フレーム組立キット。
【請求項１３】
請求項１２に記載の装飾フレーム組立キットであって、
前記少なくも２つの縦方向端縁取付要素は、両端部を備え、各端部は、隣接する縦方向端縁取付要素上の対応する留め具と解放可能に係合するための留め具を有することを特徴とする装飾フレーム組立キット。
【請求項１４】
装飾縦方向キャッピング要素を受けるための請求項１３に記載の装飾フレーム組立キットであって、
前記縦方向端縁取付要素の少なくとも１つは、さらに、
前記縦方向延設部に隣接し、前記装飾縦方向キャッピング要素の対応する嵌合コネクタに解放可能に連結するための嵌合コネクタを備えることを特徴とする装飾フレーム組立キット。
【請求項１５】
請求項１４に記載の装飾フレーム組立キットであって、
前記縦方向端縁取付要素の少なくとも１つは、前記内表面の端縁に近い対応する嵌合コネクタによって互いに連結される２つの部材からなることを特徴とする装飾フレーム組立キット。
【手続補正２】
【補正対象書類名】明細書
【補正対象項目名】００３９
【補正方法】変更
【補正の内容】
【００３９】
装飾外面４８と、少なくとも１つの開口部内表面取付要素４６の対応する嵌合コネクタ５２に解放可能に連結するための嵌合コネクタ５２とを有し、縦方向延設部５０を装飾的に覆う装飾縦方向延設フレーム要素６２と、
【手続補正３】
【補正対象書類名】明細書
【補正対象項目名】００４０
【補正方法】変更
【補正の内容】
【００４０】
装飾外面４８と、少なくとも１つの開口部内表面取付要素４６の対応する嵌合コネクタ５２と解放可能に連結するための嵌合コネクタ５２とを有し、開口部の周囲外表面４２に設置される装飾周囲フレーム要素と、
【手続補正４】
【補正対象書類名】明細書
【補正対象項目名】００４１
【補正方法】変更
【補正の内容】
【００４１】
装飾要素の両端部（２つの端部）のそれぞれは、隣接する装飾要素上の対応する留め具と解放可能に係合するための留め具を有する。
【手続補正５】
【補正対象書類名】明細書
【補正対象項目名】００４７
【補正方法】変更
【補正の内容】
【００４７】
両端部と備え、端部のそれぞれは、隣接する縦方向端縁取付要素６０上の対応する留め具と解放可能に係合するための留め具を有する。
【国際調査報告】
2013544988.tif 000015
2013544988.tif 000016
2013544988.tif 000017
2013544988.tif 000018
2013544988.tif 000019